(57)【要約】【課題】  工事計画担当者の技能・知識レベルによる影響を受けることなく、また、遠隔地にある工事対象に対する円滑な作業を可能にする工事計画システムおよび工事計画方法を提供する。【解決手段】  各工事対象の画像を記憶し、工事対象に対応する工事項目をそれぞれ記憶し、工事項目による作業と平行して行うことが適当または不適当な工事項目を記憶するサーバ１と、通信網を経てサーバ１に接続されている端末装置２、３とを備え、端末装置２、３は、工事対象または工事項目を指定する入力部２５と、入力部２５で指定された工事対象に対応する画像を、サーバ１を基に読み出して出力し、出力結果の画像が入力部２５で指定されると、指定された部分に対応する画像と工事項目とを、サーバ１を基に読み出して出力し、出力結果に対して入力部２５で指定された工事項目が複数になると、各工事項目を平行して作業することの可否を、サーバ１を基に判断して出力するＣＰＵ２１とを備える。【選択図】  図１
2008117261.tif 000002
【特許請求の範囲】
【請求項１】
装置および装置の各部分等を工事対象とする工事計画システムであって、
工事対象に対応する工事項目をそれぞれ記憶し、工事項目による作業と平行して行うことが適当または不適当な工事項目を記憶する記憶手段と、
工事対象または工事項目を指定する指定手段と、
前記指定手段で指定された工事対象に対応する工事項目を、前記記憶手段を基に読み出して出力し、出力結果に対して前記指定手段で指定された工事項目が複数になると、各工事項目を平行して作業することの可否を、前記記憶手段を基に判断して出力する処理手段と、
を備えることを特徴とする工事計画システム。
【請求項２】
装置および装置の各部分等を工事対象とする工事計画システムであって、
各工事対象の画像を記憶し、工事対象に対応する工事項目をそれぞれ記憶し、工事項目による作業と平行して行うことが適当または不適当な工事項目を記憶する記憶手段と、
工事対象、工事項目、または画像を指定する指定手段と、
前記指定手段で指定された工事対象に対応する画像を、前記記憶手段を基に読み出して出力し、出力結果の画像が前記指定手段で指定されると、指定された部分に対応する画像と工事項目とを、前記記憶手段を基に読み出して出力し、出力結果に対して前記指定手段で指定された工事項目が複数になると、各工事項目を平行して作業することの可否を、前記記憶手段を基に判断して出力する処理手段と、
を備えることを特徴とする工事計画システム。
【請求項３】
装置および装置の各部分等を工事対象とする工事計画システムであって、
工事対象に対応する工事項目をそれぞれ記憶し、工事項目による作業と平行して行うことが適当または不適当な工事項目を記憶するサーバと、
通信網を経て前記サーバに接続されている端末装置とを備え、
前記端末装置は、
工事対象または工事項目を指定する指定手段と、
前記指定手段で指定された工事対象に対応する工事項目を、前記サーバを基に読み出して出力し、出力結果に対して前記指定手段で指定された工事項目が複数になると、各工事項目を平行して作業することの可否を、前記サーバを基に判断して出力する処理手段と、
を備えることを特徴とする工事計画システム。
【請求項４】
装置および装置の各部分等を工事対象とする工事計画システムであって、
各工事対象の画像を記憶し、工事対象に対応する工事項目をそれぞれ記憶し、工事項目による作業と平行して行うことが適当または不適当な工事項目を記憶するサーバと、
通信網を経て前記サーバに接続されている端末装置とを備え、
前記端末装置は、
工事対象、工事項目、または画像を指定する指定手段と、
前記指定手段で指定された工事対象に対応する画像を、前記サーバを基に読み出して出力し、出力結果の画像が前記指定手段で指定されると、指定された部分に対応する画像と工事項目とを、前記サーバを基に読み出して出力し、出力結果に対して前記指定手段で指定された工事項目が複数になると、各工事項目を平行して作業することの可否を、前記サーバを基に判断して出力する処理手段と、
を備えることを特徴とする工事計画システム。
【請求項５】
装置および装置の各部分等を工事対象とし、工事対象に対応する工事項目をそれぞれ記憶し、工事項目による作業と平行して行うことが適当または不適当な工事項目を記憶する記憶手段を用いた工事計画方法であって、
指定された工事対象に対応する工事項目を、前記記憶手段を基に読み出して出力し、
出力結果に対して指定された工事項目が複数になると、各工事項目を平行して作業することの可否を、前記記憶手段を基に判断して出力する、
ことを特徴とする工事計画方法。
【請求項６】
装置および装置の各部分等を工事対象とし、各工事対象の画像を記憶し、工事対象に対応する工事項目をそれぞれ記憶し、工事項目による作業と平行して行うことが適当または不適当な工事項目を記憶する記憶手段を用いた工事計画方法であって、
指定された工事対象に対応する画像を、前記記憶手段を基に読み出して出力し、
出力結果の画像が指定されると、指定された部分に対応する画像と工事項目とを、前記記憶手段を基に読み出して出力し、
出力結果に対して指定された工事項目が複数になると、各工事項目を平行して作業することの可否を、前記記憶手段を基に判断して出力する、
ことを特徴とする工事計画方法。
【発明の詳細な説明】
【技術分野】
【０００１】
この発明は、工事を計画する工事計画システムおよび工事計画方法に関する。
【背景技術】
【０００２】
各種の設備などを対象にした定期点検等の工事を行う場合、通常、あらかじめ決められた点検基準を基にして、工事計画担当者が設備などの工事対象に対する工事計画を立てている。点検基準には、設備の各装置や部品の点検項目、点検内容について、例えば、「分解点検する／何もしない」などの概略的な作業内容が記載されている。また、重要な機器、常時使用の機器、設備の広範囲な配管などでは、定期点検の際に修理のための工事を行っている。
【０００３】
日常的に取り扱うことのない装置や部品が工事対象である場合には、工事計画担当者が、これらの装置や部品の図面を用い、また、過去の工事報告書などを参照しながら工事計画を立てている。さらに、遠隔地にある発電所のユニット等が工事対象である場合、工事計画担当者が現地の運転員や現地の工事請負者と電話等による連絡により工事対象を把握して工事計画を立てている。
【０００４】
一方、工事費の削減という観点から（例えば、特許文献１参照。）、従来の定期的に行う工事計画から、工事対象の状態に応じた工事計画へと、工事の重点が移行している。さらに、設備の信頼性を確保しながら設備の持つリスクを評価し、このリスクの大きさに応じた保全計画を工事計画と併せて立てることが主流となっており、工事計画が高度化している。
【特許文献１】特開２００４−３５５２０６号公報
【発明の開示】
【発明が解決しようとする課題】
【０００５】
ところで、先に述べたように、あらかじめ決められた基準を基にして工事対象に対する工事計画を立てた場合、例えば各発電所による仕様や設備の使用形態の相違により、設備の経年変化や不調状態が異なり、これらが工事計画に反映されない場合がある。また、定例的に行う工事では対応しきれない場合もある。
【０００６】
日常的に取り扱うことのない装置や部品が工事対象である場合、これらの装置や部品の図面を用いると共に過去の工事報告書などを参照しながら、つまり、書類による情報だけで、工事計画担当者が工事計画を立てる必要がある。この結果、実際の装置や部品に適合した工事計画を立てることができないケース、効率的な手順による工事ができないケースや、図面に記載のない設備の小改造等のような、過去のノウハウが反映されないケースが発生する。例えば、溶接作業をしている所の下で別の作業を同時に行うように工事計画が立てられていた、また、水配管の通水テスト時に配管系統の弁の分解作業が残っていたなどのような、平行して作業を行うことが困難な場合があった。これは、工事計画担当者の技能・知識レベルによるバラツキが原因で発生していた。
【０００７】
また、例えば遠隔地にある発電所のユニットが工事対象である場合、工事計画担当者が現地の運転員や現地の工事請負者と電話等による連絡で工事対象を把握して工事計画を立てる必要がある。この結果、作業内容などに関して工事計画担当者と現地の運転員・工事請負者との間で認識に相違が発生し、円滑な作業が困難な場合があった。
【０００８】
これらの状態を回避するために、長時間の連絡やたび重なる打ち合わせが必要となり、また、過去の工事が反映されずに、打ち合わせを繰り返すこともあり、工事計画担当者の負担が増大している。加えて、効率的な人員配置を行っているため、少数の工事計画チームが複数箇所の設備の工事計画を作成しているので、この点でも工事計画担当者の負担が増大している。
【０００９】
さらに、保全計画を立てて工事を行うようにする場合には、工事計画が高度化して複雑化しており、工事計画の策定に時間と手間を要する。
【００１０】
この発明の目的は、前記の課題を解決し、工事計画担当者の技能・知識レベルによる影響を受けることなく、また、遠隔地にある工事対象に対する円滑な作業を可能にする工事計画システムおよび工事計画方法を提供することにある。
【課題を解決するための手段】
【００１１】
前記の課題を解決するために、請求項１の発明は、装置および装置の各部分等を工事対象とする工事計画システムであって、工事対象に対応する工事項目をそれぞれ記憶し、工事項目による作業と平行して行うことが適当または不適当な工事項目を記憶する記憶手段と、工事対象または工事項目を指定する指定手段と、前記指定手段で指定された工事対象に対応する工事項目を、前記記憶手段を基に読み出して出力し、出力結果に対して前記指定手段で指定された工事項目が複数になると、各工事項目を平行して作業することの可否を、前記記憶手段を基に判断して出力する処理手段とを備えることを特徴とする工事計画システムである。
【００１２】
請求項１の発明では、記憶手段があらかじめ次のデータを記憶している。つまり、記憶手段は、工事対象に対応する作業内容を含む工事項目をそれぞれ記憶し、工事項目による作業と平行して作業することが適当または不適当な工事項目を記憶している。こうした状態のときに、指定手段に工事対象を指定すると、処理手段は、指定手段に入力された工事対象に対応する工事項目を、記憶手段を基に読み出す。そして、指定手段に指定された工事項目が複数になると、処理手段は、各工事項目を平行して作業することの可否を、記憶手段を基に判断し、例えば表示や印字などで出力する。
【００１３】
請求項２の発明は、装置および装置の各部分等を工事対象とする工事計画システムであって、各工事対象の画像を記憶し、工事対象に対応する工事項目をそれぞれ記憶し、工事項目による作業と平行して行うことが適当または不適当な工事項目を記憶する記憶手段と、工事対象、工事項目、または画像を指定する指定手段と、前記指定手段で指定された工事対象に対応する画像を、前記記憶手段を基に読み出して出力し、出力結果の画像が前記指定手段で指定されると、指定された部分に対応する画像と工事項目とを、前記記憶手段を基に読み出して出力し、出力結果に対して前記指定手段で指定された工事項目が複数になると、各工事項目を平行して作業することの可否を、前記記憶手段を基に判断して出力する処理手段とを備えることを特徴とする工事計画システムである。
【００１４】
請求項２の発明では、記憶手段があらかじめ次のデータを記憶している。つまり、記憶手段は、各工事対象の画像を記憶し、工事対象に対応する作業内容を含む工事項目をそれぞれ記憶し、工事項目による作業と平行して作業することが適当または不適当な工事項目を記憶している。こうした状態のときに、指定手段に工事対象を指定すると、処理手段は、記憶手段が記憶する工事対象の画像を出力する。この後、出力された画像が指定手段で指定されると、処理手段は、指定された部分に対応する画像と工事項目とを、記憶手段を基に読み出して出力する。そして、指定手段で指定された工事項目が複数になると、処理手段は、各工事項目を平行して作業することの可否を、記憶手段を基に判断して出力する。
【００１５】
請求項３の発明は、装置および装置の各部分等を工事対象とする工事計画システムであって、工事対象に対応する工事項目をそれぞれ記憶し、工事項目による作業と平行して行うことが適当または不適当な工事項目を記憶するサーバと、通信網を経て前記サーバに接続されている端末装置とを備え、前記端末装置は、工事対象または工事項目を指定する指定手段と、前記指定手段で指定された工事対象に対応する工事項目を、前記サーバを基に読み出して出力し、出力結果に対して前記指定手段で指定された工事項目が複数になると、各工事項目を平行して作業することの可否を、前記サーバを基に判断して出力する処理手段とを備えることを特徴とする工事計画システムである。
【００１６】
請求項４の発明は、装置および装置の各部分等を工事対象とする工事計画システムであって、各工事対象の画像を記憶し、工事対象に対応する工事項目をそれぞれ記憶し、工事項目による作業と平行して行うことが適当または不適当な工事項目を記憶するサーバと、通信網を経て前記サーバに接続されている端末装置とを備え、前記端末装置は、工事対象、工事項目、または画像を指定する指定手段と、前記指定手段で指定された工事対象に対応する画像を、前記サーバを基に読み出して出力し、出力結果の画像が前記指定手段で指定されると、指定された部分に対応する画像と工事項目とを、前記サーバを基に読み出して出力し、出力結果に対して前記指定手段で指定された工事項目が複数になると、各工事項目を平行して作業することの可否を、前記サーバを基に判断して出力する処理手段とを備えることを特徴とする工事計画システムである。
【００１７】
請求項５の発明は、装置および装置の各部分等を工事対象とし、工事対象に対応する工事項目をそれぞれ記憶し、工事項目による作業と平行して行うことが適当または不適当な工事項目を記憶する記憶手段を用いた工事計画方法であって、指定された工事対象に対応する工事項目を、前記記憶手段を基に読み出して出力し、出力結果に対して指定された工事項目が複数になると、各工事項目を平行して作業することの可否を、前記記憶手段を基に判断して出力することを特徴とする工事計画方法である。
【００１８】
請求項６の発明は、装置および装置の各部分等を工事対象とし、各工事対象の画像を記憶し、工事対象に対応する工事項目をそれぞれ記憶し、工事項目による作業と平行して行うことが適当または不適当な工事項目を記憶する記憶手段を用いた工事計画方法であって、指定された工事対象に対応する画像を、前記記憶手段を基に読み出して出力し、出力結果の画像が指定されると、指定された部分に対応する画像と工事項目とを、前記記憶手段を基に読み出して出力し、出力結果に対して指定された工事項目が複数になると、各工事項目を平行して作業することの可否を、前記記憶手段を基に判断して出力することを特徴とする工事計画方法である。
【発明の効果】
【００１９】
請求項１および請求項５の発明によれば、指定された工事項目が複数になると、各工事項目を平行して作業することが可能かどうかを判断し、表示や印字などで出力するので、工事計画担当者の技能・知識レベルによる影響を受けることなく、円滑な作業を可能にする工事計画を立てることができる。
【００２０】
請求項２および請求項６の発明によれば、出力された画像が指定されると、指定された部分の画像とその工事項目とを出力し、また、指定された工事項目が複数になると、各工事項目を平行して作業することが可能かどうかを判断して出力するので、工事計画の立案に際して工事計画担当者の技能・知識レベルによる影響を受けることを防ぐことができる。また、画像を参照しながら工事計画を立てることを可能にするので、各担当者による工事対象の認識の違いが生じることを防いで、円滑な作業を可能にする工事計画を立てることができる。
【００２１】
請求項３の発明によれば、端末装置は、指定された工事項目が複数になると、サーバのデータを基に、各工事項目を平行して作業することが可能かどうかを判断して出力するので、工事計画担当者の技能・知識レベルによる影響を受けることを防ぐことができる。さらに、各担当者がそれぞれ遠隔地にいても、各端末装置がサーバのデータを参照するので、工事対象に対する各担当者の認識の違いが生じることを防ぐことができる。
【００２２】
請求項４の発明によれば、端末装置は、出力された画像が指定されると、サーバのデータを基に、指定された部分の画像とその工事項目とを出力し、また、指定された工事項目が複数になると、サーバのデータを基に、各工事項目を平行して作業することが可能かどうかを判断して出力するので、工事計画担当者の技能・知識レベルによる影響を受けることがない。また、端末装置の画像を参照しながら工事計画を立てることを可能にするので、各担当者がそれぞれ遠隔地にいても、各担当者による工事対象の認識の違いが生じることを防いで、円滑な作業を可能にする。
【発明を実施するための最良の形態】
【００２３】
次に、この発明の実施の形態について、図面を用いて詳しく説明する。この実施の形態では、電力会社の発電設備の点検工事計画を立てる場合を例として説明する。
【００２４】
この実施の形態による工事計画システムを図１に示す。この工事計画システムは、公衆回線網１０１およびＬＡＮ（Ｌｏｃａｌ  Ａｒｅａ  Ｎｅｔｗｏｒｋ）１０２に接続されているサーバ１と、ＬＡＮ１０２に接続可能な端末装置２と、公衆回線網１０１に接続可能な端末装置３とを備えている。公衆回線網１０１とＬＡＮ１０２とは通信網を形成する。各端末装置２は、図２に示すように、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、表示部２４、入力部２５、出力部２６、および通信部２７を備えている。端末装置３は端末装置２と同様の構成である。
【００２５】
サーバ１は、工事に関係する各種のデータを公衆回線網１０１やＬＡＮ１０２に提供する。このために、サーバ１は、各種のデータを記憶する記憶装置１１を備えている。つまり、サーバ１は、端末装置からデータの要求を受けると、指定されたデータを記憶装置１１から読み出し、要求を出した端末装置に読み出したデータを送信する。
【００２６】
サーバ１の記憶装置１１は、画像データベース１１Ａと工事データベース１１Ｂとを保持している。画像データベース１１Ａは、図３に示すように、発電設備の画像ＩＭＧ11〜ＩＭＧm、ＩＭＧ21〜ＩＭＧn等をあらかじめ記憶している。画像ＩＭＧ11〜ＩＭＧm、ＩＭＧ21〜ＩＭＧn等には、各画像を識別して管理するための識別情報が付けられている。この実施の形態では、常に最新の画像が更新されて記憶されている。さらに、この実施の形態では、互いに関連する画像がある場合には、各画像が関連付けられている。例えば、画像ＩＭＧ11が火力発電所の機械系統を表すものである場合、画像ＩＭＧ11の中に蒸気タービンＡがあるとき、画像ＩＭＧ11の蒸気タービンＡが入力部２５のマウスなどで選択されると、選択された画像に対応する工事対象の名称（蒸気タービンＡ）を得ることができる。他の画像についても同様である。
【００２７】
工事データベース１１Ｂは、発電設備に関連する各種のテーブルを記憶している。工事データベース１１Ｂは、各種のテーブルの１つとして図４に示す画像テーブル１１Ｂ11を記憶している。画像テーブル１１Ｂ11は、発電所の各設備を構成する装置および部品を表す画像の識別情報を記憶している。
【００２８】
また、工事データベース１１Ｂは、各種のテーブルの１つとして図５に示す工事項目テーブル１１Ｂ21を記憶している。工事項目テーブル１１Ｂ21は、工事対象に応じた工事項目、つまり、工事の内容を表す作業内容、工事に必要とする作業期間、工事の延べ時間である作業工数、工事に必要な工事額、工事で取り替える取り替え部品、工事で用いる所用工具・重機、工事に対するその他の特記事項などの工事項目を蓄積し、さらに、過去に実施した工事項目を蓄積している。工事項目テーブル１１Ｂ21は常に更新されて、最新の状態にされている。
【００２９】
さらに、工事データベース１１Ｂは、各種のテーブルの１つとして図６に示す留意組み合わせテーブル１１Ｂ31を記憶している。留意組み合わせテーブル１１Ｂ31は、工事項目テーブル１１Ｂ21において、作業内容の１つの作業と別の作業とを平行して行うことが不適当であり、実施不可能な組み合わせである場合、また、１つの工事対象における作業内容の１つの作業と、別の工事対象における作業とを平行して行うことが不適当であり、実施不可能な組み合わせである場合、この組み合わせを、工事項目と留意関係の工事項目として保存している。
【００３０】
端末装置２は、工事計画を立てる際にサーバ１からデータ提供を受けるための通信機能を持つコンピュータである。端末装置２の表示部２４は、ＣＰＵ２１の制御によって、工事計画等に関連するデータを表示するＬＣＤ（液晶ディスプレイ）などの表示装置である。入力部２５はキーボードやマウスなどの入力装置であり、出力部２６はＣＰＵ２１の制御によってデータを印字して出力する印刷装置である。通信部２７は、ＬＡＮ１０２を経由して別の端末装置２やサーバ１とデータ通信を行い、また、ＬＡＮ１０２と公衆回線網１０１とを経由して端末装置３とデータ通信を行う。なお、端末装置３の場合には通信部２７は公衆回線網１０１とデータ通信を行う。ＲＯＭ２２は、ハードディスク等の記憶装置であり、工事計画プログラムを記憶し、ＲＡＭ２３はプログラムやデータなどを一時的に記憶する。
【００３１】
ＣＰＵ２１は、入力部２５から工事計画プログラム開始の指示を受け取ると、ＲＯＭ２２から工事計画プログラムを読み出してＲＡＭ２３に記憶する。この後、ＣＰＵ２１は、ＲＡＭ２３に記憶された工事計画プログラムを実行することにより、工事計画処理を行う。工事計画処理は工事データ作成処理と留意組み合わせ判別処理との２つの処理から成り、ＣＰＵ２１は、工事データ作成処理により、工事の概要を表す工事データを作成する。また、ＣＰＵ２１は、留意組み合わせ判別処理により、工事データの工事項目として複数の作業が選択されたときに、平行して作業することの可否を、サーバ１の記憶装置１１を参照して判断する。
【００３２】
次に、この実施の形態による工事計画システムを用いた工事計画方法について説明する。端末装置２が電力会社本社の工事計画担当者に操作され、端末装置３の一方が本社から遠方にある火力発電所の現地運転員に操作され、端末装置３の他方が現地工事請負会社の工事請負者に操作される場合を例とする。
【００３３】
工事計画担当者が例えば発電所の設備の点検工事を計画する場合、この担当者は端末装置２の入力部２５を操作して、工事計画プログラムを開始する。これにより、端末装置２のＣＰＵ２１は、工事計画プログラムをＲＯＭ２２から読み出してＲＡＭ２３に記憶し、図７に示す工事データ作成処理と図８に示す留意組み合わせ判別処理とから成る工事計画処理を開始する。ＣＰＵ２１は、最初に工事データ作成処理を開始すると、表示部２４を制御して、点検工事の対象である設備を指定するための入力画面を表示する（ステップＳ１）。表示部２４の表示を見て工事計画担当者が工事対象を入力すると、入力部２５は、入力された工事対象を指定データとしてＣＰＵ２１に送る。
【００３４】
ＣＰＵ２１は、入力部２５から指定データを受け取ると（ステップＳ２）、記憶装置１１の工事データベース１１Ｂの画像テーブル１１Ｂ11と画像データベース１１Ａとを参照して、指定データで指定された工事対象に対応する画像を選択すると共に、工事データベース１１Ｂの工事項目テーブル１１Ｂ21を参照して、指定データで指定された工事対象に対応する工事項目を選択し、選択した画像と工事項目とから成る工事データを生成する（ステップＳ３）。例えば、ＣＰＵ２１は、入力部２５から指定データとして「火力発電所の機械系統」を受け取ると、工事データベース１１Ｂの画像テーブル１１Ｂ11から「火力発電所の機械系統」の画像の識別情報「１００００」を抽出し、画像データベース１１Ａを参照して、この識別情報に対応する画像を選択する。また、ＣＰＵ２１は、工事データベース１１Ｂの工事項目テーブル１１Ｂ21を参照して、工事対象である「火力発電所の機械系統」に対応するすべての工事項目を選択する。そして、ＣＰＵ２１は、選択した画像と工事項目とから図９に示す工事データＣＯＮ1を生成する。これにより、ＣＰＵ２１は「火力発電所の機械系統」の点検工事の概要を生成する。
【００３５】
ステップＳ３の後、ＣＰＵ２１は、生成した工事データをサーバ１に記憶して端末装置２の表示部２４に表示する（ステップＳ４）。例えば工事データＣＯＮ1（図９）の場合、ＣＰＵ２１は、図１０（ａ）に示すように、表示部２４の表示画面２４Ａの表示領域２４Ａ11に、工事データＣＯＮ1に含まれる「火力発電所の機械系統」の画像を表示し、工事データＣＯＮ1に含まれる「火力発電所の機械系統」のすべての工事項目を、表示画面２４Ａの表示領域２４Ａ12に表示する。これにより、表示部２４は「火力発電所の機械系統」の点検工事の概要を表示する。
【００３６】
ステップＳ４の後、ＣＰＵ２１は、入力部２５のマウス等の操作により、表示部２４の表示画面２４Ａの表示領域２４Ａ11に表示された画像の一部分が指定されたかどうかを判断する（ステップＳ５）。ステップＳ５で画像の指定があると、ＣＰＵ２１は、指定された部分の画像に対応する工事対象を画像データベース１１Ａから得て、この工事対象を指定データとする（ステップＳ６）。この後、ＣＰＵ２１は、工事データベース１１Ｂの画像テーブル１１Ｂ11と画像データベース１１Ａとを参照して、ステップＳ６の指定データが示す工事対象に対応する画像を選択すると共に、工事データベース１１Ｂの工事項目テーブル１１Ｂ21を参照して、指定データが示す工事対象に対応するすべての工事項目を選択し、選択した画像と工事項目とから成る工事データを生成する（ステップＳ７）。
【００３７】
ステップＳ７の後、ＣＰＵ２１は、生成した工事データをサーバ１に記憶して端末装置２の表示部２４に表示する（ステップＳ８）。例えば、既に工事データＣＯＮ1（図９）がある場合、ＣＰＵ２１は、ステップＳ７で作成した工事データＣＯＮ2を工事データＣＯＮ1と共にサーバ１に記憶する。また、ＣＰＵ２１は、図１０（ｂ）に示すように、表示部２４の表示画面２４Ａの表示領域２４Ａ11および表示領域２４Ａ12に並ぶように表示領域２４Ａ21および表示領域２４Ａ22を配置し、工事データＣＯＮ2に含まれる「蒸気タービンＡ」の画像を表示領域２４Ａ21に、工事データＣＯＮ2に含まれる「蒸気タービンＡ」の工事項目を表示領域２４Ａ22に表示するか、またはスクロール可能に表示する。
【００３８】
ステップＳ８の後、ＣＰＵ２１は処理をステップＳ５に戻して、順次に工事データをサーバ１に蓄積していく。もし、ステップＳ５で画像の指定がない場合、ＣＰＵ２１は、工事データ作成処理を終了する。
【００３９】
複数の工事データがサーバ１に記憶されたとき、留意組み合わせ判別処理が可能な状態となる。つまり、ＣＰＵ２１は、工事データ作成処理の最後の処理であるステップＳ８で工事データを端末装置２の表示部２４に表示している状態の後、入力部２５から工事項目の選択指示を受け取る（ステップＳ２１）。ステップＳ２１の後、ＣＰＵ２１は、選択指示に複数の工事項目による作業が含まれるかどうかを判断し（ステップＳ２２）、複数の工事項目がある場合には、サーバ１の留意組み合わせテーブル１１Ｂ31を参照して、複数の工事項目の中から留意関係にある作業があるかどうかを判断する（ステップＳ２３）。ステップＳ２３で留意関係にある工事項目があると、ＣＰＵ２１は、エラーを示すと共に留意関係にある各工事項目を示すエラーメッセージを作成して表示部２４に表示する（ステップＳ２４）。ステップＳ２４の後、またはステップＳ２３で留意関係にある工事項目がない場合、ＣＰＵ２１は、ステップＳ２３での判断結果をサーバ１に保存し（ステップＳ２５）、入力部２５に別の工事項目の選択指示があるかどうかを判断する（ステップＳ２６）。
【００４０】
ステップＳ２６で別の工事項目の選択指示がある場合、またはステップＳ２２で選択指示に複数の工事項目が含まれていない場合、ＣＰＵ２１は、処理をステップＳ２１に戻す。また、ステップＳ２６で選択指示がなければ、ＣＰＵ２１は、留意組み合わせ判別処理を終了する。
【００４１】
工事計画処理が終了すると、ＣＰＵ２１は、工事データ作成処理でサーバ１に保存した工事データと、留意組み合わせ判別処理でサーバ１に保存した留意組み合わせの判断結果とを基にして工事日程表を作成し、この工事日程表をサーバ１に保存する。さらに、この工事日程表は、画像データベース１１Ａおよび画像テーブル１１Ｂ11とも関連付けられている。この工事日程表の一例を図１１に示す。図１１の日程表ＤＡＴは、工事対象、打ち合わせを行った工事請負会社、作業の日程、作業を行う作業期間、作業工数、工事額などを表し、ＣＰＵ２１は、工事項目テーブル１１Ｂ21を参照して工事日程表ＤＡＴに入力する。このとき、例えば日程の作業開始日が入力部２５で入力されると、ＣＰＵ２１は、工事項目テーブル１１Ｂ21の作業期間を参照して作業終了日を調べ、作業開始日から作業終了日までの間を作業期間として工事日程表ＤＡＴに表示する。また、例えば入力部２５のマウスの操作により、作業開始日が移動されると、この移動に平行してＣＰＵ２１は作業終了日や日別の作業員数などを移して表示する。また、入力部２５に工事日程表ＤＡＴの出力指示が入力されると、ＣＰＵ２１は、出力部２６を制御して、工事日程表ＤＡＴを印刷して出力する。さらに、表示部２４に表示された日程表ＤＡＴの工事対象の名称が入力部２５のマウスなどの操作により指定されると、ＣＰＵ２１は、画像データベース１１Ａと画像テーブル１１Ｂ11とを参照して、指定された工事対象の名称に対応する画像を表示する。こうした工事日程表ＤＡＴは、サーバ１に保存されているので、端末装置２だけに限らず端末装置３からもアクセス可能である。
【００４２】
この後、端末装置３を操作する工事計画担当者と、一方の端末装置３を操作する火力発電所の現地運転員と、他方の端末装置３を操作する現地工事請負会社の工事請負者とは、それぞれの端末装置を操作して、サーバ１に保存されている工事データ、留意組み合わせの判断結果、工事日程表を参照しながら、１日の作業に必要とする作業員数、１つの工事対象に必要とする作業員の延べ人数を基にして、作業員数の平準化、工事額などを打ち合わせることができる。このとき、工事データには工事対象である設備、装置、部品等の画像が含まれるので、画像を参照することにより、３者の打ち合わせを容易にすることができる。
【００４３】
また、画像を見ながら打ち合わせを行うので、設備の経年変化や設備の不調状態を工事計画に容易に反映することを可能にする。また、遠隔地にある発電所のユニットが工事対象である場合、工事計画担当者が現地の運転員や現地の工事請負者と、このユニットの画像を見ながら打ち合わせを行うので、工事対象を確実に把握して工事計画を立てることができ、また、作業内容などに関して工事計画担当者と現地の運転員・工事請負者との間で共通の認識を持つことを可能にし、円滑な作業計画の立案を可能にする。
【００４４】
また、サーバ１の各テーブルを参照して作成した工事データに対して留意組み合わせ処理を行うので、例えば、溶接作業をしている所の下で別の作業を同時に行うような、工事計画担当者の技能・知識レベルによるバラツキが原因で、平行して作業を行うことが困難な工事計画を立てることを防ぐことができる。また、サーバ１の各テーブルを参照して工事データを作成するので、長時間の連絡や度重なる打ち合わせを不要にし、しかも、サーバ１のデータに過去の工事項目を反映しているので、工事計画担当者の負担を軽減することができる。また、サーバ１の各テーブルを参照して作成した工事データに対して留意組み合わせ処理を行うので、無駄のない効率的な人員配置を可能にする。
【００４５】
さらに、保全計画を立てて工事を行うような場合でも、サーバ１の各テーブルを参照して作成した工事データに対して留意組み合わせ処理を行うので、工事計画の複雑化に容易に対応することができる。
【００４６】
以上、この発明の実施の形態を詳述してきたが、具体的な構成はこの実施の形態に限られるものではなく、この発明の要旨を逸脱しない範囲の設計の変更等があっても、この発明に含まれる。例えば、この発明は工事計画に限定されることがなく、ＯＪＴ（Ｏｎ  ｔｈｅ  Ｊｏｂ  Ｔｒａｉｎｉｎｇ）、新人の教育、工事計画の承認者の確認時に利用することも可能である。
【００４７】
また、この実施の形態では、不適当な関係にある工事項目と留意関係の工事項目として保存しているが、逆に適当な関係にある工事項目と留意関係の工事項目として保存し、ステップＳ２３において、留意関係にないときにステップＳ２４に進むようにしてもよい。
【図面の簡単な説明】
【００４８】
【図１】この発明の実施の形態による工事計画システムを示す構成図である。
【図２】工事計画システムの端末装置を示す構成図である。
【図３】画像データベースを説明する説明図である。
【図４】工事データベースの画像テーブルを説明する説明図である。
【図５】工事データベースの工事項目テーブルを説明する説明図である。
【図６】工事データベースの留意組み合わせテーブルを説明する説明図である。
【図７】工事計画プログラムにより実行される工事計画処理を示すフローチャートである。
【図８】工事計画プログラムにより実行される工事計画処理を示すフローチャートである。
【図９】工事データの一例を示す図である。
【図１０】表示画面の一例を示す図であり、図１０（ａ）は１つの画像および工事項目を表示する場合の図であり、図１０（ｂ）は２つの画像および工事項目を表示する場合の図である。
【図１１】工事日程表の一例を示す図である。
【符号の説明】
【００４９】
１  サーバ（記憶手段）
１１  記憶装置
１１Ａ  画像データベース
１１Ｂ  工事データベース
２、３  端末装置
２１  ＣＰＵ（処理手段）
２２  ＲＯＭ
２３  ＲＡＭ
２４  表示部
２５  入力部（指定手段）
２６  出力部
２７  通信部
１０１  公衆回線網
１０２  ＬＡＮ
【図１】
2008117261.tif 000003
【図２】
2008117261.tif 000004
【図３】
2008117261.tif 000005
【図４】
2008117261.tif 000006
【図５】
2008117261.tif 000007
【図６】
2008117261.tif 000008
【図７】
2008117261.tif 000009
【図８】
2008117261.tif 000010
【図９】
2008117261.tif 000011
【図１０】
2008117261.tif 000012
【図１１】
2008117261.tif 000013